(57)【要約】  タッチパネル装置（１）は、表示面に複数のオブジェクト画像を表示させる画像表示手段（４１）と、２個以上の指が表示範囲に接触または近接したオブジェクト画像を特定する特定手段（４２）と、２個以上の指の動きを検出する動き検出手段（４３）と、２個以上の指の動きが所定の動きであると判断すると、特定手段（４２）で特定されたオブジェクト画像の表示状態を変更する第１表示変更手段（４４）と、第１表示変更手段（４４）の処理に対応して他のオブジェクト画像の表示状態を変更する第２表示変更手段（４５）とを備える。
2013027292.tif 000002
【特許請求の範囲】
【請求項１】
表示面に接触または近接した指示物の位置に対応する処理を行うタッチパネル装置であって、
前記表示面に複数のオブジェクト画像を表示させる画像表示手段と、
２個以上の指示物が表示範囲に接触または近接したオブジェクト画像を特定する特定手段と、
前記２個以上の指示物の動きを検出する動き検出手段と、
前記２個以上の指示物の動きが所定の動きであると判断すると、前記特定手段で特定されたオブジェクト画像の表示状態を変更する第１表示変更手段と、
前記第１表示変更手段の処理に対応して他のオブジェクト画像の表示状態を変更する第２表示変更手段とを備えた
ことを特徴とするタッチパネル装置。
【請求項２】
請求項１に記載のタッチパネル装置において、
前記第２表示変更手段は、前記他のオブジェクト画像の表示範囲を前記特定されたオブジェクト画像に重ならないように変更する
ことを特徴とするタッチパネル装置。
【請求項３】
請求項２に記載のタッチパネル装置において、
前記第２表示変更手段は、前記他のオブジェクト画像を移動させる
ことを特徴とするタッチパネル装置。
【請求項４】
請求項３に記載のタッチパネル装置において、
前記第２表示変更手段は、前記他のオブジェクト画像を前記表示面の外縁に沿って並べる
ことを特徴とするタッチパネル装置。
【請求項５】
請求項２から請求項４のいずれかに記載のタッチパネル装置において、
前記第２表示変更手段は、前記他のオブジェクト画像を縮小する
ことを特徴とするタッチパネル装置。
【請求項６】
請求項２から請求項５のいずれかに記載のタッチパネル装置において、
前記第２表示変更手段は、前記他のオブジェクト画像を回転させる
ことを特徴とするタッチパネル装置。
【請求項７】
請求項１に記載のタッチパネル装置において、
前記第２表示変更手段は、前記他のオブジェクト画像の明度および色彩のうち少なくとも一方を変更する
ことを特徴とするタッチパネル装置。
【請求項８】
請求項１に記載のタッチパネル装置において、
前記第２表示変更手段は、前記他のオブジェクト画像の表示範囲のうち前記特定されたオブジェクト画像に重なる部分を表示させない処理である
ことを特徴とするタッチパネル装置。
【請求項９】
請求項１に記載のタッチパネル装置において、
前記第２表示変更手段は、前記他のオブジェクト画像全体を表示させない
ことを特徴とするタッチパネル装置。
【請求項１０】
請求項１から請求項９のいずれかに記載のタッチパネル装置において、
前記第１表示変更手段は、前記特定されたオブジェクト画像の表示範囲を変更する
ことを特徴とするタッチパネル装置。
【請求項１１】
請求項１０に記載のタッチパネル装置において、
前記第１表示変更手段は、前記特定されたオブジェクト画像を所定角度回転させる
ことを特徴とするタッチパネル装置。
【請求項１２】
請求項１１に記載のタッチパネル装置において、
前記第１表示変更手段は、前記表示面を所定位置から見たときのオブジェクト画像の向きが、予め設定された向きとなるように、前記特定されたオブジェクト画像を回転させる
ことを特徴とするタッチパネル装置。
【請求項１３】
請求項１０から請求項１２のいずれかに記載のタッチパネル装置において、
前記第１表示変更手段は、前記特定されたオブジェクト画像を拡大する
ことを特徴とするタッチパネル装置。
【請求項１４】
請求項２に記載のタッチパネル装置において、
前記第１表示変更手段は、前記表示面を所定位置から見たときのオブジェクト画像の向きが、予め設定された向きとなるように、前記特定されたオブジェクト画像を回転させ、
前記第２表示変更手段は、前記表示面を所定位置から見たときのオブジェクト画像の向きが、前記特定されたオブジェクト画像の回転後の向きと同じになるように、前記他のオブジェクト画像を回転させる
ことを特徴とするタッチパネル装置。
【請求項１５】
請求項１から請求項１４のいずれかに記載のタッチパネル装置において、
前記所定の動きは、所定時間内に複数回だけ断続的に、前記２個以上の指示物が前記表示範囲に接触または近接する動きである
ことを特徴とするタッチパネル装置。
【請求項１６】
請求項１から請求項１４のいずれかに記載のタッチパネル装置において、
前記所定の動きは、所定時間以上連続的に、前記２個以上の指示物が前記表示範囲に接触または近接する動きである
ことを特徴とするタッチパネル装置。
【請求項１７】
表示面に接触または近接した指示物の位置に対応する処理を行うタッチパネル装置を用いた情報処理方法であって、
前記表示面に複数のオブジェクト画像を表示させる画像表示ステップと、
２個以上の指示物が表示範囲に接触または近接したオブジェクト画像を特定する特定ステップと、
前記特定ステップで特定されたオブジェクト画像の表示範囲に接触または近接した２個以上の指示物の動きを検出する動き検出ステップと、
前記２個以上の指示物の動きが所定の動きであると判断すると、前記特定ステップで特定されたオブジェクト画像の表示状態を変更する第１表示変更ステップと、
前記第１表示変更ステップに対応して他のオブジェクト画像の表示状態を変更する第２表示変更ステップとを行う
ことを特徴とするタッチパネル装置を用いた情報処理方法。
【請求項１８】
請求項１７に記載のタッチパネル装置を用いた情報処理方法において、
前記第２表示変更ステップでは、前記他のオブジェクト画像の表示範囲を前記特定されたオブジェクト画像に重ならないように変更する
ことを特徴とするタッチパネル装置を用いた情報処理方法。
【請求項１９】
請求項１８に記載のタッチパネル装置を用いた情報処理方法において、
前記第２表示変更ステップでは、前記他のオブジェクト画像を移動させる
ことを特徴とするタッチパネル装置を用いた情報処理方法。
【請求項２０】
請求項１９に記載のタッチパネル装置を用いた情報処理方法において、
前記第２表示変更ステップでは、前記他のオブジェクト画像を前記表示面の外縁に沿って並べる
ことを特徴とするタッチパネル装置を用いた情報処理方法。
【請求項２１】
請求項１８から請求項２０のいずれかに記載のタッチパネル装置を用いた情報処理方法において、
前記第２表示変更ステップでは、前記他のオブジェクト画像を縮小する
ことを特徴とするタッチパネル装置を用いた情報処理方法。
【請求項２２】
請求項１８から請求項２１のいずれかに記載のタッチパネル装置を用いた情報処理方法において、
前記第２表示変更ステップでは、前記他のオブジェクト画像を回転させる
ことを特徴とするタッチパネル装置を用いた情報処理方法。
【請求項２３】
請求項１７に記載のタッチパネル装置を用いた情報処理方法において、
前記第２表示変更ステップでは、前記他のオブジェクト画像の明度および色彩のうち少なくとも一方を変更する
ことを特徴とするタッチパネル装置を用いた情報処理方法。
【請求項２４】
請求項１７に記載のタッチパネル装置を用いた情報処理方法において、
前記第２表示変更ステップでは、前記他のオブジェクト画像の表示範囲のうち前記特定されたオブジェクト画像に重なる部分を表示させない処理である
ことを特徴とするタッチパネル装置を用いた情報処理方法。
【請求項２５】
請求項１７に記載のタッチパネル装置を用いた情報処理方法において、
前記第２表示変更ステップでは、前記他のオブジェクト画像全体を表示させない
ことを特徴とするタッチパネル装置を用いた情報処理方法。
【請求項２６】
請求項１７から請求項２５のいずれかに記載のタッチパネル装置を用いた情報処理方法において、
前記第１表示変更ステップでは、前記特定されたオブジェクト画像の表示範囲を変更する
ことを特徴とするタッチパネル装置を用いた情報処理方法。
【請求項２７】
請求項２６に記載のタッチパネル装置を用いた情報処理方法において、
前記第１表示変更ステップでは、前記特定されたオブジェクト画像を所定角度回転させる
ことを特徴とするタッチパネル装置を用いた情報処理方法。
【請求項２８】
請求項２７に記載のタッチパネル装置を用いた情報処理方法において、
前記第１表示変更ステップでは、前記表示面を所定位置から見たときのオブジェクト画像の向きが、予め設定された向きとなるように、前記特定されたオブジェクト画像を回転させる
ことを特徴とするタッチパネル装置を用いた情報処理方法。
【請求項２９】
請求項２６から請求項２８のいずれかに記載のタッチパネル装置を用いた情報処理方法において、
前記第１表示変更ステップでは、前記特定されたオブジェクト画像を拡大する
ことを特徴とするタッチパネル装置を用いた情報処理方法。
【請求項３０】
請求項１８に記載のタッチパネル装置を用いた情報処理方法において、
前記第１表示変更ステップでは、前記表示面を所定位置から見たときのオブジェクト画像の向きが、予め設定された向きとなるように、前記特定されたオブジェクト画像を回転させ、
前記第２表示変更ステップでは、前記表示面を所定位置から見たときのオブジェクト画像の向きが、前記特定されたオブジェクト画像の回転後の向きと同じになるように、前記他のオブジェクト画像を回転させる
ことを特徴とするタッチパネル装置を用いた情報処理方法。
【請求項３１】
請求項１７から請求項３０のいずれかに記載のタッチパネル装置を用いた情報処理方法において、
前記所定の動きは、所定時間内に複数回だけ断続的に、前記２個以上の指示物が前記表示範囲に接触または近接する動きである
ことを特徴とするタッチパネル装置を用いた情報処理方法。
【請求項３２】
請求項１７から請求項３０のいずれかに記載のタッチパネル装置を用いた情報処理方法において、
前記所定の動きは、所定時間以上連続的に、前記２個以上の指示物が前記表示範囲に接触または近接する動きである
ことを特徴とするタッチパネル装置を用いた情報処理方法。
【発明の詳細な説明】
【技術分野】
【０００１】
本発明は、タッチパネル装置、および、これを用いた情報処理方法に関する。
【背景技術】
【０００２】
従来、表示面の接触位置または近接位置に対応する処理を行うタッチパネル装置が知られている。このようなタッチパネル装置は、表示面の画像を切り替えることで、多種の処理を行うことができることから、様々な場面で用いられている。このようなタッチパネル装置では、表示面に対する指の接触状態に応じて、オブジェクト画像の向き、位置、大きさを変更できるようになっている。【０００３】
一方、このようなタッチパネル装置の操作性を向上させるための様々な検討がなされている（例えば、特許文献１参照）。
特許文献１の構成では、複数の指でボタンがタッチされた場合に、当該指の距離や、当該距離の過渡的な変化に応じて、異なる処理を行うようにしている。
【先行技術文献】
【特許文献】
【０００４】
【特許文献１】特開２００１−２２８９７１号公報
【発明の概要】
【発明が解決しようとする課題】
【０００５】
しかしながら、特許文献１のような構成では、オブジェクト画像の他に操作用のボタンを表示させる必要があり、タッチパネル装置の処理が複雑になるおそれがある。
また、オブジェクト画像と操作用のボタンとを判別しやすくするために、オブジェクト画像と操作用のボタンとを離して表示させることが考えられる。しかし、操作対象のオブジェクト画像と、操作対象でない他のオブジェクト画像とが判別しにくくなるおそれがある。
さらに、上記の判別しにくくなるという不具合を解消するために、オブジェクト画像上の特定の位置にボタンを表示させることも考えられるが、例えばオブジェクト画像を回転させる場合には、当該オブジェクト画像を回転させる毎に、表示面上におけるボタンの位置が変わってしまう。このため、オブジェクト画像の回転毎にタッチ位置を変える必要があり、操作性が悪くなるおそれがある。【０００６】
本発明は、表示面に表示されたオブジェクト画像の表示状態の変更操作を簡単な構成で容易に行えるとともに、操作対象でない他のオブジェクト画像を容易に判別可能なタッチパネル装置、および、これを用いた情報処理方法を提供することを１つの目的とする。
【課題を解決するための手段】
【０００７】
本発明のタッチパネル装置は、表示面に接触または近接した指示物の位置に対応する処理を行うタッチパネル装置であって、前記表示面に複数のオブジェクト画像を表示させる画像表示手段と、２個以上の指示物が表示範囲に接触または近接したオブジェクト画像を特定する特定手段と、前記２個以上の指示物の動きを検出する動き検出手段と、前記２個以上の指示物の動きが所定の動きであると判断すると、前記特定手段で特定されたオブジェクト画像の表示状態を変更する第１表示変更手段と、前記第１表示変更手段の処理に対応して他のオブジェクト画像の表示状態を変更する第２表示変更手段とを備えたことを特徴とする。【０００８】
本発明のタッチパネル装置を用いた情報処理方法は、表示面に接触または近接した指示物の位置に対応する処理を行うタッチパネル装置を用いた情報処理方法であって、前記表示面に複数のオブジェクト画像を表示させる画像表示ステップと、２個以上の指示物が表示範囲に接触または近接したオブジェクト画像を特定する特定ステップと、前記特定ステップで特定されたオブジェクト画像の表示範囲に接触または近接した２個以上の指示物の動きを検出する動き検出ステップと、前記２個以上の指示物の動きが所定の動きであると判断すると、前記特定ステップで特定されたオブジェクト画像の表示状態を変更する第１表示変更ステップと、前記第１表示変更ステップに対応して他のオブジェクト画像の表示状態を変更する第２表示変更ステップとを行うことを特徴とする。
【図面の簡単な説明】
【０００９】
【図１】本発明の第１〜第７実施形態に係るタッチパネル装置の斜視図。
【図２】前記タッチパネル装置における赤外線発光受光部の概略構成を示す模式図。
【図３】前記タッチパネル装置の概略構成を示すブロック図。
【図４】前記第１〜第７実施形態における表示変更処理前の表示状態を示す模式図。
【図５】前記第１実施形態における表示変更処理を示すフローチャート。
【図６】前記第１実施形態におけるダブルタップ以外の操作がされた場合の表示状態を示す模式図。
【図７】前記第１実施形態におけるダブルタップ以外の操作がされた場合の他の表示状態を示す模式図。
【図８】前記第１実施形態におけるダブルタップ操作がされた場合の表示状態を示す模式図。
【図９】前記第１実施形態における図８に示す状態からダブルタップ操作がされた場合の表示状態を示す模式図。
【図１０】前記第２実施形態におけるダブルタップ操作がされた場合の表示状態を示す模式図。
【図１１】前記第３実施形態におけるダブルタップ操作がされた場合の表示状態を示す模式図。
【図１２】前記第４実施形態におけるダブルタップ操作がされた場合の表示状態を示す模式図。
【図１３】前記第５実施形態におけるダブルタップ操作がされた場合の表示状態を示す模式図。
【図１４】前記第６実施形態におけるダブルタップ操作がされた場合の表示状態を示す模式図。
【図１５】前記第７実施形態におけるダブルタップ操作がされた場合の表示状態を示す模式図。
【発明を実施するための形態】
【００１０】
［第１実施形態］
まず、本発明の第１実施形態について図面に基づいて説明する。
｛タッチパネル装置の構成｝
図１において、タッチパネル装置１は、表示面２０が上を向くテーブル型のものである。このタッチパネル装置１は、指示物としての人間の指Ｆが表示面２０に接触または近接（以下において、指Ｆが表示面２０に接触または近接している状態をまとめて「表示面２０上に存在」と表現する場合がある）した場合、当該接触位置または近接位置（以下において、接触位置または近接位置をまとめて「存在位置」と表現する場合がある）に対応する処理をする。
そして、タッチパネル装置１は、図１〜図３に示すように、表示装置２と、赤外線受光発光部３と、制御装置４とを備える。
【００１１】
表示装置２は、タッチパネル面である四角形状の表示面２０を備える。この表示装置２は、長方形状の枠体２６内に収容されている。
【００１２】
赤外線受光発光部３は、枠体２６の長辺を構成する一対の側面部のうちの一方に設けられた第１発光部３１と、他方に設けられた第１受光部３２と、枠体２６の短辺を構成する一対の側面部のうち一方に設けられた第２発光部３３と、他方に設けられた第２受光部３４とを備える。
第１発光部３１および第２発光部３３は、それぞれ複数の第１発光素子３１１および第２発光素子３３１を備える。第１発光素子３１１および第２発光素子３３１は、赤外線Ｌを発光可能な赤外線ＬＥＤ（Light-Emitting Diode）である。
また、第１受光部３２および第２受光部３４は、それぞれ第１発光素子３１１および第２発光素子３３１と同数の第１受光素子３２１および第２受光素子３４１を備える。第１受光素子３２１および第２受光素子３４１は、赤外線Ｌを受光可能な赤外線受光素子であり、第１発光素子３１１および第２発光素子３３１の光軸上に配置されている。
そして、第１発光素子３１１および第２発光素子３３１は、制御装置４の制御により、表示面２０と平行に赤外線Ｌを発光する。第１受光素子３２１および第２受光素子３４１は、赤外線Ｌを受光すると、この受光量に対応する受光信号を制御装置４に出力する。
【００１３】
図３に示すように、制御装置４は、図示しない記憶手段に記憶されたプログラムおよびデータをＣＰＵ（Central Processing Unit）が処理することにより構成される、画像表示手段４１と、特定手段４２と、動き検出手段４３と、第１表示変更手段４４と、第２表示変更手段４５とを備える。
【００１４】
画像表示手段４１は、表示装置２の表示面２０に各種画像を表示させる。例えば、図１および図２に示すように、オブジェクト画像Ｐ１，Ｐ２，Ｐ３，Ｐ４を表示させる。なお、オブジェクト画像Ｐ１〜Ｐ４を特に区別せずに説明する場合には、これらをまとめてオブジェクト画像Ｐという場合がある。
ここで、オブジェクト画像Ｐとしては、各種ソフトウェアで作成した文書や表やグラフの画像、撮像手段で撮像された風景や人物などの画像、アニメーションや映画などのコンテンツ画像が例示できる。
【００１５】
特定手段４２は、第１発光素子３１１および第２発光素子３３１からの赤外線Ｌを用いて表示面２０上を走査して、当該赤外線Ｌが遮光されていることを検出すると、表示面２０上に指Ｆが存在していると判定する。また、特定手段４２は、遮光位置の数に基づいて、指Ｆの本数も検出する。
さらに、特定手段４２は、表示面２０に表示されているオブジェクト画像Ｐのうち、当該指Ｆの存在位置と表示領域が重なるオブジェクト画像Ｐを特定する。すなわち、特定手段４２は、指Ｆが表示範囲に接触または近接したオブジェクト画像Ｐを特定する。
【００１６】
動き検出手段４３は、特定手段４２で表示面２０上に存在していると判定された指Ｆの動きを検出する。具体的に、動き検出手段４３は、遮光位置の移動状態を指Ｆの動きとして検出する。また、動き検出手段４３は、複数の指Ｆが表示面２０上に存在している場合には、それぞれの指Ｆの動きを検出する。
【００１７】
第１表示変更手段４４は、特定手段４２で特定されたオブジェクト画像Ｐの表示状態を、動き検出手段４３で検出された指Ｆの数や動きに基づいて変更する。
第２表示変更手段４５は、第１表示変更手段４４の処理に対応して、第１表示変更手段４４で表示状態が変更されたオブジェクト画像Ｐ以外のオブジェクト画像Ｐの表示状態を変更する。
【００１８】
｛タッチパネル装置の作用｝
次に、タッチパネル装置１の作用を説明する。なお、ここでは、指Ｆが表示面２０に接触した（触れた）場合の作用について例示するが、近接した場合にも同様に作用する。
タッチパネル装置１を構成する制御装置４の画像表示手段４１は、例えば、電源がオンされて所定の操作がなされたことを検出すると、図４に示すようなオブジェクト画像Ｐを表示面２０で表示させる（ステップＳ１）。
タッチパネル装置１のユーザは、オブジェクト画像Ｐを移動させたり、オブジェクト画像Ｐの大きさや向きを変更したい場合には、表示面２０におけるオブジェクト画像Ｐの表示領域を指Ｆで触れる（オブジェクト画像Ｐを指Ｆでタッチする）とともに、当該指Ｆを動かす。
【００１９】
この後、特定手段４２は、図５に示すように、指Ｆが表示面２０にタッチしているか否かを判定するために、赤外線Ｌを用いた遮光スキャンを行う（ステップＳ２）。そして、特定手段４２は、赤外線Ｌの遮光を検出したか否かを判断して（ステップＳ３）、赤外線Ｌの遮光を検出するまで、ステップＳ２およびステップＳ３の処理を繰り返す。
【００２０】
具体的に、特定手段４２は、ステップＳ２およびステップＳ３の繰り返しにより、第１発光素子３１１を、図２における左側から順次１つずつ駆動して赤外線Ｌを発光させる。また、第２発光素子３３１を、図２における上側から順次１つずつ駆動して赤外線Ｌを発光させる。そして、特定手段４２は、各第１発光素子３１１と各第２発光素子３３１にそれぞれ対向する、第１受光素子３２１と第２受光素子３４１からの受光信号に基づいて、遮光を検出したか否かを判断する。
特定手段４２および動き検出手段４３は、ステップＳ３において、遮光を検出した場合には、一定時間内（例えば、１秒）に２本以上の指Ｆが２回タッチしたか否かを判定する（ステップＳ４）。すなわち、指Ｆが所定時間内に２回断続的にタッチしたか否かを判定する。なお、３回以上断続的に指Ｆがタッチしたか否かを判断してもよい。
【００２１】
このステップＳ４において、特定手段４２および動き検出手段４３は、指Ｆが所定時間内に２回断続的にタッチしていないと判断した場合、必要に応じて所定の処理を行った後、ステップＳ２に戻る。
例えば、図６に示すように、１本の指Ｆがオブジェクト画像Ｐにタッチした後に、表示面２０から離れずにそのままスライドした場合には、指Ｆのスライドに合わせてオブジェクト画像Ｐを移動させ、ステップＳ２に戻る。また、図７に示すように、２本の指Ｆがオブジェクト画像Ｐにタッチした後に、表示面２０から離れずにそのまま互いに離間するようにスライドした場合には、２本の指Ｆの離間に合わせてオブジェクト画像Ｐを拡大し、ステップＳ２に戻る。
【００２２】
一方、ステップＳ４において、特定手段４２および動き検出手段４３は、指Ｆが所定時間内に２回断続的にタッチした（ダブルタップした）と判断した場合には、同一のオブジェクト画像Ｐにタッチしたか否かを判定する（ステップＳ５）。すなわち、制御装置４は、特定手段４２で２本の指Ｆがタッチしたオブジェクト画像Ｐ１を特定するとともに、動き検出手段４３でオブジェクト画像Ｐ１にタッチした２本の指Ｆの動きを検出することで、２本の指Ｆが同一のオブジェクト画像Ｐに２回断続的にタッチしたか否かを判断する。このステップＳ５において、２本の指Ｆが同一のオブジェクト画像Ｐにタッチしていない場合、例えば、１本の指Ｆがオブジェクト画像Ｐにタッチしているが、他の１本の指が当該オブジェクト画像Ｐ以外の部分にタッチしている場合には、ステップＳ２に戻る。
【００２３】
また、ステップＳ５において、特定手段４２および動き検出手段４３によって２本の指Ｆが同一のオブジェクト画像Ｐにタッチしたと判断された場合には、第１表示変更手段４４は、当該オブジェクト画像Ｐが９０度単位のオブジェクト画像か否かを判断する（ステップＳ６）。
具体的に、第１表示変更手段４４は、図４の二点鎖線で示すように、長方形状のオブジェクト画像Ｐ１の第１長辺Ｑ１１、第１短辺Ｑ１２、第２長辺Ｑ１３、第２短辺Ｑ１４のうちいずれか１つと、長方形状の表示面２０の第１長辺２１とが平行の場合には、オブジェクト画像Ｐ１が９０度単位のオブジェクト画像（時計回りに９０度回転させられるオブジェクト画像）であると判断する。
一方、図４の実線で示すように、各辺Ｑ１１〜Ｑ１４の全てが第１長辺２１と平行でない場合には、オブジェクト画像Ｐ１が９０度単位のオブジェクト画像ではなく、各辺Ｑ１１〜Ｑ１４のうちいずれか１つと第１長辺２１とが平行となるように、時計回りに９０度未満の角度だけ回転させる（時計回りで一番近い９０度単位の角度に合わせて回転させる）オブジェクト画像であると判断する。
【００２４】
このステップＳ６において、第１表示変更手段４４は、図４の二点鎖線で示すように、オブジェクト画像Ｐ１が９０度単位のオブジェクト画像であると判断した場合には、図８に示すように、オブジェクト画像Ｐ１の第１長辺Ｑ１１と第１長辺２１とが対向しかつ平行となるように、オブジェクト画像Ｐ１を時計回り（図８における左回り）に９０度回転させる（ステップＳ７）。この後、第２表示変更手段４５は、第１表示変更手段４４での回転対象以外のオブジェクト画像Ｐ２、オブジェクト画像Ｐ３、オブジェクト画像Ｐ４を、回転後のオブジェクト画像Ｐ１と重ならないように、放射状に移動させ（ステップＳ８）、処理を終了する。なお、ステップＳ８において、回転後のオブジェクト画像Ｐ１と、移動前のオブジェクト画像Ｐ２、オブジェクト画像Ｐ３、オブジェクト画像Ｐ４のうち少なくとも１つが重ならない場合には、当該重ならないオブジェクト画像を移動させなくてもよいし、重なる画像と同じように移動させてもよい。
一方で、ステップＳ６において、第１表示変更手段４４は、図４の実線で示すように、オブジェクト画像Ｐ１が９０度単位のオブジェクト画像でないと判断した場合には、オブジェクト画像Ｐ１を時計周りで一番近い９０度単位の角度に合わせて回転させ（ステップＳ９）、図８に示すように、オブジェクト画像Ｐ１の第１長辺Ｑ１１と第１長辺２１とが対向しかつ平行となるように表示させる。この後、第２表示変更手段４５は、ステップＳ８の処理を行う。
【００２５】
すなわち、第１表示変更手段４４は、特定手段４２および動き検出手段４３で２本の指Ｆが２回断続的にタッチしたと判断されたオブジェクト画像Ｐ１の表示状態を変更する処理として、オブジェクト画像Ｐ１の表示範囲を変更するオブジェクト画像Ｐ１の回転処理を行う。この際、第１表示変更手段４４は、表示面２０を所定位置としての第１長辺２１側から見たときのオブジェクト画像Ｐ１の向きが、予め設定された向きとしての各辺Ｑ１１〜Ｑ１４のうちいずれか１つと第１長辺２１とが平行となるように、オブジェクト画像Ｐ１を回転させる。
また、第２表示変更手段４５は、第１表示変更手段４４の処理に対応して、オブジェクト画像Ｐ１以外のオブジェクト画像Ｐ２〜Ｐ４の表示状態を変更する処理として、オブジェクト画像Ｐ２〜Ｐ４の表示範囲を変更する処理を行う。具体的に、第２表示変更手段４５は、オブジェクト画像Ｐ２〜Ｐ４の表示範囲とオブジェクト画像Ｐ１の表示範囲とが重ならないように、オブジェクト画像Ｐ２〜Ｐ４を移動させる。
【００２６】
なお、制御装置４は、図８に示す状態から、再度、図５に示す処理が行われると、ステップＳ６、ステップＳ７、ステップＳ８の順で処理を行うこととなり、図９に示すように、オブジェクト画像Ｐ１の第１短辺Ｑ１２と第１長辺２１とが対向しかつ平行となるように、オブジェクト画像Ｐ１を時計回りに９０度回転させる。
【００２７】
｛第１実施形態の作用効果｝
上述したような第１実施形態では、以下のような作用効果を奏することができる。
（１）タッチパネル装置１は、特定手段４２および動き検出手段４３によりオブジェクト画像Ｐ１上に存在する２本の指Ｆが所定の動きをしたと判断すると、第１表示変更手段４４によるオブジェクト画像Ｐ１の表示状態を変更する処理として、オブジェクト画像Ｐ１を回転させる処理を行う。また、タッチパネル装置１は、第２表示変更手段４５による第１表示変更手段４４の処理に対応するオブジェクト画像Ｐ２〜Ｐ４の表示状態を変更する処理として、オブジェクト画像Ｐ１に重ならないようにオブジェクト画像Ｐ２〜Ｐ４を移動させる。
このため、タッチパネル装置１は、第１表示変更手段４４による処理を行わせるためのボタンを表示させることなく、オブジェクト画像Ｐ１を回転させることができる。また、タッチパネル装置１がボタンを表示させないので、ユーザは、オブジェクト画像Ｐ１が回転しても、オブジェクト画像Ｐ１上の同じ位置をタッチすることで、オブジェクト画像Ｐ１をさらに回転させることができる。さらに、タッチパネル装置１がオブジェクト画像Ｐ１の表示状態の変更に対応してオブジェクト画像Ｐ２〜Ｐ４の表示状態も変更するので、ユーザは、オブジェクト画像Ｐ１と、オブジェクト画像Ｐ２〜Ｐ４とを容易に判別できる。
【００２８】
（２）第２表示変更手段４５は、オブジェクト画像Ｐ１に重ならないようにオブジェクト画像Ｐ２〜Ｐ４の表示範囲を変更する。このため、ユーザは、オブジェクト画像Ｐ２〜Ｐ４がオブジェクト画像Ｐ１に重なっている場合と比べて、オブジェクト画像Ｐ２〜Ｐ４をより容易に判別できる。
【００２９】
（３）第２表示変更手段４５は、オブジェクト画像Ｐ２〜Ｐ４の表示範囲の変更処理として、オブジェクト画像Ｐ２〜Ｐ４の移動処理を行う。このため、第２表示変更手段４５は、オブジェクト画像Ｐ２〜Ｐ４の大きさを変更する必要がないため、簡単な処理でユーザにオブジェクト画像Ｐ２〜Ｐ４を判別させることができる。
【００３０】
（４）第１表示変更手段４４は、オブジェクト画像Ｐ１の表示範囲を変更する。このため、ユーザは、ダブルタップによる簡単な操作でオブジェクト画像Ｐ１の表示範囲を変更できるとともに、オブジェクト画像Ｐ２〜Ｐ４を容易に判別できる。
【００３１】
（５）第１表示変更手段４４は、オブジェクト画像Ｐ１の表示範囲の変更処理として、オブジェクト画像Ｐ１の回転処理を行う。このため、ユーザは、簡単な操作でオブジェクト画像Ｐ１の向きを所望の向きにすることができる。
【００３２】
（６）第１表示変更手段４４は、第１長辺２１側から見たときのオブジェクト画像Ｐ１の向きが予め設定された向きとなるように、オブジェクト画像Ｐ１を回転させる。このため、ユーザは、ダブルタップ操作によるオブジェクト画像Ｐ１の向きを微調整する必要がなく、利便性が向上する。
【００３３】
［第２実施形態］
次に、本発明の第２実施形態について説明する。
第２実施形態および後述する第３〜第６実施形態と第１実施形態との違いは、ステップＳ８における第２表示変更手段４５の処理が異なる点である。
すなわち、図４に示す状態からステップＳ７またはステップＳ９の処理によりオブジェクト画像Ｐ１が回転した後、図１０に示すように、第２表示変更手段４５は、ステップＳ８の処理として、オブジェクト画像Ｐ２〜Ｐ４の表示範囲とオブジェクト画像Ｐ１の表示範囲とが重ならないように、オブジェクト画像Ｐ２〜Ｐ４を表示面２０の第１短辺２２に沿って並べる。この際、オブジェクト画像Ｐ２の第１短辺Ｑ２２、オブジェクト画像Ｐ３の第１短辺Ｑ３２、オブジェクト画像Ｐ４の第１短辺Ｑ４２が、第１短辺２２に対向しかつ平行となるように、オブジェクト画像Ｐ２〜Ｐ４を回転させつつ移動させる。
なお、オブジェクト画像Ｐ２〜Ｐ４を回転させずに、第１短辺２２に沿って並べてもよい。
【００３４】
｛第２実施形態の作用効果｝
上述したような第２実施形態では、上記実施形態と同様の作用効果に加えて、以下のような作用効果を奏することができる。
（７）第２表示変更手段４５は、オブジェクト画像Ｐ２〜Ｐ４を表示面２０の第１短辺２２に沿って並べる。このため、オブジェクト画像Ｐ２〜Ｐ４がダブルタップ操作前と明らかに異なる状態に並べられるため、ユーザは、オブジェクト画像Ｐ２〜Ｐ４を容易に判別できる。
【００３５】
（８）第２表示変更手段４５は、オブジェクト画像Ｐ２〜Ｐ４の向きがオブジェクト画像Ｐ１と同じ向きとなるように、オブジェクト画像Ｐ２〜Ｐ４を回転させる。このため、ユーザは、オブジェクト画像Ｐ１とオブジェクト画像Ｐ２〜Ｐ４とを容易に判別できる上、オブジェクト画像Ｐ１〜Ｐ４の内容を容易に理解できる。
【００３６】
［第３実施形態］
次に、本発明の第３実施形態について説明する。
第２表示変更手段４５は、図４に示す状態からステップＳ７またはステップＳ９の処理によりオブジェクト画像Ｐ１が回転した後、図１１に示すように、ステップＳ８の処理として、オブジェクト画像Ｐ２〜Ｐ４の表示範囲とオブジェクト画像Ｐ１の表示範囲とが重ならないように、オブジェクト画像Ｐ２〜Ｐ４を移動させずに縮小する。
【００３７】
｛第３実施形態の作用効果｝
上述したような第３実施形態では、上記実施形態と同様の作用効果に加えて、以下のような作用効果を奏することができる。
（９）第２表示変更手段４５は、オブジェクト画像Ｐ２〜Ｐ４を縮小する。このため、ユーザは、大きさの変更によりオブジェクト画像Ｐ２〜Ｐ４を容易に判別できる。
【００３８】
［第４実施形態］
次に、本発明の第４実施形態について説明する。
第２表示変更手段４５は、図４に示す状態からステップＳ７またはステップＳ９の処理によりオブジェクト画像Ｐ１が回転した後、図１２に示すように、ステップＳ８の処理として、オブジェクト画像Ｐ２〜Ｐ４を移動させたり縮小したりせずに、オブジェクト画像Ｐ２〜Ｐ４の表示範囲のうちオブジェクト画像Ｐ１と重なる部分（図１２における点線で示す部分）を表示させない処理を行う。すなわち、オブジェクト画像Ｐ２〜Ｐ４の透過度を変更する。
【００３９】
｛第４実施形態の作用効果｝
上述したような第４実施形態では、上記実施形態と同様の作用効果に加えて、以下のような作用効果を奏することができる。
（１０）第２表示変更手段４５は、オブジェクト画像Ｐ２〜Ｐ４の表示範囲のうちオブジェクト画像Ｐ１と重なる部分を表示させない。このため、第２表示変更手段４５は、オブジェクト画像Ｐ２〜Ｐ４の大きさや位置を変更することなく、オブジェクト画像Ｐ２〜Ｐ４の一部の透過度を変更するだけの簡単な方法で、ユーザにオブジェクト画像Ｐ２〜Ｐ４を判別させることができる。
【００４０】
［第５実施形態］
次に、本発明の第５実施形態について説明する。
第２表示変更手段４５は、図４に示す状態からステップＳ７またはステップＳ９の処理によりオブジェクト画像Ｐ１が回転した後、図１３に示すように、ステップＳ８の処理として、オブジェクト画像Ｐ２〜Ｐ４を移動させたり縮小したりせずに、オブジェクト画像Ｐ２〜Ｐ４の全体の明度および彩度のうち少なくとも一方を変更する処理を行う。なお、オブジェクト画像Ｐ２〜Ｐ４の一部の明度や彩度を変更してもよい。また、オブジェクト画像Ｐ２〜Ｐ４を白黒画像に変換してもよい。
【００４１】
｛第５実施形態の作用効果｝
上述したような第５実施形態では、上記実施形態と同様の作用効果に加えて、以下のような作用効果を奏することができる。
（１１）第２表示変更手段４５は、オブジェクト画像Ｐ２〜Ｐ４の明度および彩度のうち少なくとも一方を変更する。このため、第２表示変更手段４５は、オブジェクト画像Ｐ２〜Ｐ４の大きさや位置を変更することなく、オブジェクト画像Ｐ２〜Ｐ４の明度や彩度を変更するだけの簡単な方法で、ユーザにオブジェクト画像Ｐ２〜Ｐ４を判別させることができる。
【００４２】
［第６実施形態］
次に、本発明の第６実施形態について説明する。
第２表示変更手段４５は、図４に示す状態からステップＳ７またはステップＳ９の処理によりオブジェクト画像Ｐ１が回転した後、図１４に示すように、ステップＳ８の処理として、オブジェクト画像Ｐ２〜Ｐ４を移動させたり縮小したりせずに、オブジェクト画像Ｐ２〜Ｐ４を表示させない処理を行う。
【００４３】
｛第６実施形態の作用効果｝
上述したような第６実施形態では、上記実施形態と同様の作用効果に加えて、以下のような作用効果を奏することができる。
（１２）第２表示変更手段４５は、オブジェクト画像Ｐ２〜Ｐ４を表示させない処理を行う。このため、第２表示変更手段４５は、オブジェクト画像Ｐ２〜Ｐ４の大きさや位置を変更することなく、オブジェクト画像Ｐ２〜Ｐ４を表示させないだけの簡単な方法で、ユーザにオブジェクト画像Ｐ２〜Ｐ４を判別させることができる。
【００４４】
［第７実施形態］
次に、本発明の第７実施形態について説明する。
第７実施形態と第１実施形態との違いは、ステップＳ７またはステップＳ９における第１表示変更手段４４の処理が異なる点である。
すなわち、第１表示変更手段４４は、図４に示す状態からステップＳ７またはステップＳ９の処理によりオブジェクト画像Ｐ１を回転させる際に、図１５に示すように、オブジェクト画像Ｐ１を拡大する。この後、第２表示変更手段４５は、ステップＳ８の処理として、オブジェクト画像Ｐ２〜Ｐ４をオブジェクト画像Ｐ１と重ならないように放射状に移動させる。なお、このときの第２表示変更手段４５による処理は、第２〜第６実施形態で行ったものであってもよい。
【００４５】
｛第７実施形態の作用効果｝
上述したような第７実施形態では、上記実施形態と同様の作用効果に加えて、以下のような作用効果を奏することができる。
（１３）第１表示変更手段４４は、オブジェクト画像Ｐ１の表示範囲の変更処理として、オブジェクト画像Ｐ１の拡大処理を行う。このため、ユーザは、オブジェクト画像Ｐ１の内容を容易に認識できる。
【００４６】
［変形例］
なお、本発明は前述の第１〜第７実施形態に限定されるものではなく、本発明の目的を達成できる範囲での変形、改良などは本発明に含まれるものである。
すなわち、動き検出手段４３により指Ｆの動きとして、２本の指Ｆが同一のオブジェクト画像Ｐに２回断続的にタッチするいわゆるダブルタップを検出したが、３回や４回以上のタッチを検出してもよいし、３本や４本の指Ｆの動きを検出してもよい。さらには、２本以上の指Ｆが、同一のオブジェクト画像Ｐに所定時間以上連続的にタッチする（同一のオブジェクト画像Ｐを押し続ける）動きを検出してもよい。
また、第１表示変更手段４４による処理は、回転処理や拡大処理に限られず、オブジェクト画像Ｐの縮小処理や点滅処理であってもよい。さらに、第２表示変更手段４５による処理をオブジェクト画像Ｐの点滅処理としてもよい。
さらには、第２表示変更手段４４による処理は、第１〜第６実施形態の処理を適宜組み合わせたものであってもよい。
【００４７】
また、存在位置を検出する構成として、静電容量方式、電磁誘導方式などいずれの構成を用いてもよい。また、Ｂｌｕｅｔｏｏｔｈによるデータ通信を行う構成としてもよい。
また、指示物としては、指Ｆに限らず専用ペンなどであってもよい。
さらに、指示物としては、例えば片方の手で指示する場合には、人指し指と中指の組み合わせでもよいし、親指と人指し指でもよい。また親指と中指で指示する際に中指が接触してもよい。
また、両方の手で指示する場合には、右手の人指し指と左手の人指し指でもよく、また右手の人差し指と左手の親指といったように色々な指の組み合わせで指示してもよい。
そして、タッチパネル装置１としては、携帯型あるいは設置型のコンピュータ、ＰＤＡ（Personal Digital Assistant）、携帯電話、カメラ、時計、コンテンツ再生装置の表示装置として用いられるものであってもよいし、壁に設置されるものであってもよい。さらに、タッチパネル装置１としては、業務用インフォメーションや車内でのインフォメーションの表示に用いられるものであってもよいし、電子機器の操作に用いられるものであってもよい。
【符号の説明】
【００４８】
１…タッチパネル装置
２０…表示面
４１…画像表示手段
４２…特定手段
４３…動き検出手段
４４…第１表示変更手段
４５…第２表示変更手段
Ｐ…オブジェクト画像
【図１】
2013027292.tif 000003
【図２】
2013027292.tif 000004
【図３】
2013027292.tif 000005
【図４】
2013027292.tif 000006
【図５】
2013027292.tif 000007
【図６】
2013027292.tif 000008
【図７】
2013027292.tif 000009
【図８】
2013027292.tif 000010
【図９】
2013027292.tif 000011
【図１０】
2013027292.tif 000012
【図１１】
2013027292.tif 000013
【図１２】
2013027292.tif 000014
【図１３】
2013027292.tif 000015
【図１４】
2013027292.tif 000016
【図１５】
2013027292.tif 000017
【手続補正書】
【提出日】平成26年2月25日(2014.2.25)
【手続補正１】
【補正対象書類名】明細書
【補正対象項目名】０００７
【補正方法】変更
【補正の内容】
【０００７】
本発明のタッチパネル装置は、表示面に接触または近接した指示物の位置に対応する処理を行うタッチパネル装置であって、前記表示面に複数のオブジェクト画像を表示させる画像表示手段と、２個以上の指示物が表示範囲に接触または近接したオブジェクト画像を特定する特定手段と、前記２個以上の指示物の動きを検出する動き検出手段と、前記２個以上の指示物の動きが所定の動きであると判断すると、前記特定手段で特定されたオブジェクト画像の表示状態を変更する第１表示変更手段と、前記第１表示変更手段の処理に対応して他のオブジェクト画像の表示範囲を前記特定されたオブジェクト画像に重ならないように変更する第２表示変更手段とを備え、前記第２表示変更手段は、前記他のオブジェクト画像を縮小することを特徴とする。
【手続補正２】
【補正対象書類名】明細書
【補正対象項目名】０００８
【補正方法】変更
【補正の内容】
【０００８】
本発明のタッチパネル装置を用いた情報処理方法は、表示面に接触または近接した指示物の位置に対応する処理を行うタッチパネル装置を用いた情報処理方法であって、前記表示面に複数のオブジェクト画像を表示させる画像表示ステップと、２個以上の指示物が表示範囲に接触または近接したオブジェクト画像を特定する特定ステップと、前記特定ステップで特定されたオブジェクト画像の表示範囲に接触または近接した２個以上の指示物の動きを検出する動き検出ステップと、前記２個以上の指示物の動きが所定の動きであると判断すると、前記特定ステップで特定されたオブジェクト画像の表示状態を変更する第１表示変更ステップと、前記第１表示変更ステップに対応して他のオブジェクト画像の表示範囲を前記特定されたオブジェクト画像に重ならないように変更する第２表示変更ステップとを行い、前記第２表示変更ステップでは、前記他のオブジェクト画像を縮小することを特徴とする。
【手続補正３】
【補正対象書類名】明細書
【補正対象項目名】００２４
【補正方法】変更
【補正の内容】
【００２４】
このステップＳ６において、第１表示変更手段４４は、図４の二点鎖線で示すように、オブジェクト画像Ｐ１が９０度単位のオブジェクト画像であると判断した場合には、図８に示すように、オブジェクト画像Ｐ１の第１長辺Ｑ１１と第１長辺２１とが対向しかつ平行となるように、オブジェクト画像Ｐ１を時計回り（図８における右回り）に９０度回転させる（ステップＳ７）。この後、第２表示変更手段４５は、第１表示変更手段４４での回転対象以外のオブジェクト画像Ｐ２、オブジェクト画像Ｐ３、オブジェクト画像Ｐ４を、回転後のオブジェクト画像Ｐ１と重ならないように、放射状に移動させ（ステップＳ８）、処理を終了する。なお、ステップＳ８において、回転後のオブジェクト画像Ｐ１と、移動前のオブジェクト画像Ｐ２、オブジェクト画像Ｐ３、オブジェクト画像Ｐ４のうち少なくとも１つが重ならない場合には、当該重ならないオブジェクト画像を移動させなくてもよいし、重なる画像と同じように移動させてもよい。
一方で、ステップＳ６において、第１表示変更手段４４は、図４の実線で示すように、オブジェクト画像Ｐ１が９０度単位のオブジェクト画像でないと判断した場合には、オブジェクト画像Ｐ１を時計周りで一番近い９０度単位の角度に合わせて回転させ（ステップＳ９）、図８に示すように、オブジェクト画像Ｐ１の第１長辺Ｑ１１と第１長辺２１とが対向しかつ平行となるように表示させる。この後、第２表示変更手段４５は、ステップＳ８の処理を行う。
【手続補正４】
【補正対象書類名】明細書
【補正対象項目名】００４６
【補正方法】変更
【補正の内容】
【００４６】
［変形例］
なお、本発明は前述の第１〜第７実施形態に限定されるものではなく、本発明の目的を達成できる範囲での変形、改良などは本発明に含まれるものである。
すなわち、動き検出手段４３により指Ｆの動きとして、２本の指Ｆが同一のオブジェクト画像Ｐに２回断続的にタッチするいわゆるダブルタップを検出したが、３回や４回以上のタッチを検出してもよいし、３本や４本の指Ｆの動きを検出してもよい。さらには、２本以上の指Ｆが、同一のオブジェクト画像Ｐに所定時間以上連続的にタッチする（同一のオブジェクト画像Ｐを押し続ける）動きを検出してもよい。
また、第１表示変更手段４４による処理は、回転処理や拡大処理に限られず、オブジェクト画像Ｐの縮小処理や点滅処理であってもよい。さらに、第２表示変更手段４５による処理をオブジェクト画像Ｐの点滅処理としてもよい。
さらには、第２表示変更手段４５による処理は、第１〜第６実施形態の処理を適宜組み合わせたものであってもよい。
【手続補正５】
【補正対象書類名】明細書
【補正対象項目名】００４７
【補正方法】変更
【補正の内容】
【００４７】
また、存在位置を検出する構成として、静電容量方式、電磁誘導方式などいずれの構成を用いてもよい。また、Ｂｌｕｅｔｏｏｔｈ（登録商標）によるデータ通信を行う構成としてもよい。
また、指示物としては、指Ｆに限らず専用ペンなどであってもよい。
さらに、指示物としては、例えば片方の手で指示する場合には、人指し指と中指の組み合わせでもよいし、親指と人指し指でもよい。また親指と中指で指示する際に中指が接触してもよい。
また、両方の手で指示する場合には、右手の人指し指と左手の人指し指でもよく、また右手の人差し指と左手の親指といったように色々な指の組み合わせで指示してもよい。
そして、タッチパネル装置１としては、携帯型あるいは設置型のコンピュータ、ＰＤＡ（Personal Digital Assistant）、携帯電話、カメラ、時計、コンテンツ再生装置の表示装置として用いられるものであってもよいし、壁に設置されるものであってもよい。さらに、タッチパネル装置１としては、業務用インフォメーションや車内でのインフォメーションの表示に用いられるものであってもよいし、電子機器の操作に用いられるものであってもよい。
【手続補正６】
【補正対象書類名】特許請求の範囲
【補正対象項目名】全文
【補正方法】変更
【補正の内容】
【特許請求の範囲】
【請求項１】
表示面に接触または近接した指示物の位置に対応する処理を行うタッチパネル装置であって、
前記表示面に複数のオブジェクト画像を表示させる画像表示手段と、
２個以上の指示物が表示範囲に接触または近接したオブジェクト画像を特定する特定手段と、
前記２個以上の指示物の動きを検出する動き検出手段と、
前記２個以上の指示物の動きが所定の動きであると判断すると、前記特定手段で特定されたオブジェクト画像の表示状態を変更する第１表示変更手段と、
前記第１表示変更手段の処理に対応して他のオブジェクト画像の表示範囲を前記特定されたオブジェクト画像に重ならないように変更する第２表示変更手段とを備え、
前記第２表示変更手段は、前記他のオブジェクト画像を縮小する
ことを特徴とするタッチパネル装置。
【請求項２】
請求項１に記載のタッチパネル装置において、
前記第２表示変更手段は、前記他のオブジェクト画像を移動させる
ことを特徴とするタッチパネル装置。
【請求項３】
請求項１または請求項２に記載のタッチパネル装置において、
前記第１表示変更手段は、前記特定されたオブジェクト画像の表示範囲を変更する
ことを特徴とするタッチパネル装置。
【請求項４】
請求項３に記載のタッチパネル装置において、
前記第１表示変更手段は、前記特定されたオブジェクト画像を所定角度回転させる
ことを特徴とするタッチパネル装置。
【請求項５】
請求項４に記載のタッチパネル装置において、
前記第１表示変更手段は、前記表示面を所定位置から見たときのオブジェクト画像の向きが、予め設定された向きとなるように、前記特定されたオブジェクト画像を回転させる
ことを特徴とするタッチパネル装置。
【請求項６】
請求項３から請求項５のいずれかに記載のタッチパネル装置において、
前記第１表示変更手段は、前記特定されたオブジェクト画像を拡大する
ことを特徴とするタッチパネル装置。
【請求項７】
請求項１に記載のタッチパネル装置において、
前記第１表示変更手段は、前記表示面を所定位置から見たときのオブジェクト画像の向きが、予め設定された向きとなるように、前記特定されたオブジェクト画像を回転させ、
前記第２表示変更手段は、前記表示面を所定位置から見たときのオブジェクト画像の向きが、前記特定されたオブジェクト画像の回転後の向きと同じになるように、前記他のオブジェクト画像を回転させる
ことを特徴とするタッチパネル装置。
【請求項８】
請求項１から請求項７のいずれかに記載のタッチパネル装置において、
前記所定の動きは、所定時間内に複数回だけ断続的に、前記２個以上の指示物が前記表示範囲に接触または近接する動きである
ことを特徴とするタッチパネル装置。
【請求項９】
請求項１から請求項７のいずれかに記載のタッチパネル装置において、
前記所定の動きは、所定時間以上連続的に、前記２個以上の指示物が前記表示範囲に接触または近接する動きである
ことを特徴とするタッチパネル装置。
【請求項１０】
表示面に接触または近接した指示物の位置に対応する処理を行うタッチパネル装置を用いた情報処理方法であって、
前記表示面に複数のオブジェクト画像を表示させる画像表示ステップと、
２個以上の指示物が表示範囲に接触または近接したオブジェクト画像を特定する特定ステップと、
前記特定ステップで特定されたオブジェクト画像の表示範囲に接触または近接した２個以上の指示物の動きを検出する動き検出ステップと、
前記２個以上の指示物の動きが所定の動きであると判断すると、前記特定ステップで特定されたオブジェクト画像の表示状態を変更する第１表示変更ステップと、
前記第１表示変更ステップに対応して他のオブジェクト画像の表示範囲を前記特定されたオブジェクト画像に重ならないように変更する第２表示変更ステップとを行い、
前記第２表示変更ステップでは、前記他のオブジェクト画像を縮小する
ことを特徴とするタッチパネル装置を用いた情報処理方法。
【請求項１１】
請求項１０に記載のタッチパネル装置を用いた情報処理方法において、
前記第２表示変更ステップでは、前記他のオブジェクト画像を移動させる
ことを特徴とするタッチパネル装置を用いた情報処理方法。
【請求項１２】
請求項１０または請求項１１に記載のタッチパネル装置を用いた情報処理方法において、
前記第１表示変更ステップでは、前記特定されたオブジェクト画像の表示範囲を変更する
ことを特徴とするタッチパネル装置を用いた情報処理方法。
【請求項１３】
請求項１２に記載のタッチパネル装置を用いた情報処理方法において、
前記第１表示変更ステップでは、前記特定されたオブジェクト画像を所定角度回転させる
ことを特徴とするタッチパネル装置を用いた情報処理方法。
【請求項１４】
請求項１３に記載のタッチパネル装置を用いた情報処理方法において、
前記第１表示変更ステップでは、前記表示面を所定位置から見たときのオブジェクト画像の向きが、予め設定された向きとなるように、前記特定されたオブジェクト画像を回転させる
ことを特徴とするタッチパネル装置を用いた情報処理方法。
【請求項１５】
請求項１２から請求項１４のいずれかに記載のタッチパネル装置を用いた情報処理方法において、
前記第１表示変更ステップでは、前記特定されたオブジェクト画像を拡大する
ことを特徴とするタッチパネル装置を用いた情報処理方法。
【請求項１６】
請求項１０に記載のタッチパネル装置を用いた情報処理方法において、
前記第１表示変更ステップでは、前記表示面を所定位置から見たときのオブジェクト画像の向きが、予め設定された向きとなるように、前記特定されたオブジェクト画像を回転させ、
前記第２表示変更ステップでは、前記表示面を所定位置から見たときのオブジェクト画像の向きが、前記特定されたオブジェクト画像の回転後の向きと同じになるように、前記他のオブジェクト画像を回転させる
ことを特徴とするタッチパネル装置を用いた情報処理方法。
【請求項１７】
請求項１０から請求項１６のいずれかに記載のタッチパネル装置を用いた情報処理方法において、
前記所定の動きは、所定時間内に複数回だけ断続的に、前記２個以上の指示物が前記表示範囲に接触または近接する動きである
ことを特徴とするタッチパネル装置を用いた情報処理方法。
【請求項１８】
請求項１０から請求項１６のいずれかに記載のタッチパネル装置を用いた情報処理方法において、
前記所定の動きは、所定時間以上連続的に、前記２個以上の指示物が前記表示範囲に接触または近接する動きである
ことを特徴とするタッチパネル装置を用いた情報処理方法。
【国際調査報告】
2013027292.tif 000018
2013027292.tif 000019